(57)【要約】【課題】壁面と浴槽またはカウンターとの隙間が広い場合でも有効にシール性能を確保することのできる、目地部材を提供する。【解決手段】壁面１０２と浴槽１０１またはカウンターとの隙間１０４を塞ぐ頭部２と、頭部２の下面から下方に延びる脚部３と、脚部３から浴槽１０１側に突出して形成されたヒレ部４とを有し、脚部３を、長手方向に垂直な断面においてＳ字形状に形成することで、目地部材を構成する。【選択図】図２
2010031595.tif 000002
【特許請求の範囲】
【請求項１】
壁面と浴槽またはカウンターとの隙間を塞ぐ目地部材であって、
上記隙間を覆う頭部と、この頭部の下面から下方に延び上記隙間に挿入される脚部と、この脚部から浴室内側に突出して形成されたヒレ部とを有し、上記脚部は、上記隙間の長手方向に垂直な断面においてＳ字形状に形成されたことを特徴とする、目地部材。
【請求項２】
前記脚部は、前記隙間の長手方向に垂直な断面においてＳ字形状に形成された脚部本体と、この脚部本体の下端から壁面側上方へ折り返して形成された折り返し片とからなることを特徴とする、請求項１に記載の目地部材。
【請求項３】
前記折り返し片は前記隙間の長手方向に垂直な断面において前記脚部本体の下半分に沿った断面形状をなすことを特徴とする、請求項２に記載の目地部材。
【請求項４】
前記頭部及び前記ヒレ部は軟質樹脂素材でなり、前記脚部は硬質樹脂素材でなることを特徴とする、請求項１から３のいずれかに記載の目地部材。
【発明の詳細な説明】
【技術分野】
【０００１】
本発明は、浴槽と壁面との間またはカウンターと壁面との間の隙間に取り付けられる浴槽用目地材に関する。
【背景技術】
【０００２】
従来、図４に平面図として示すような浴室１００において、浴槽１０１と壁面１０２との間やカウンター１０３と壁面１０２との間には隙間１０４が生じるため、この隙間をシリコン等のコーキング剤を充填して塞いでいた。しかし、このコーキング作業は煩雑であると共に熟練を要する。また、コーキング剤にはカビが生え易く、浴槽を交換する際には古いコーキング剤を除去した後に新しいコーキング剤を施工しなければならない等の問題点があった。
【０００３】
そこで、この問題点を解決するため、コーキング材に代えてエラストマー等から形成される化粧目地が一般に使用されるようになってきた。特許文献１から３には、従来の目地が開示されている。これらの目地はいずれも、壁面と浴槽との隙間を塞ぐ頭部と、頭部の下面から下方に延びる脚部とを備え、脚部には浴室側に突出するヒレ部が形成され、頭部が壁面と浴槽との隙間を塞ぐと共にヒレ部が浴槽フランジに圧接することで、浴槽と壁面部との間のシール性能を確保するよう構成されている。
【０００４】
このような従来の目地の例を図５に断面図として示す。従来の目地１１０は、壁面と浴槽との隙間を塞ぐ頭部１１１と、頭部の下面から下方に延びる脚部１１２とを備え、脚部１１２には上向きの傾斜を有して浴室側に突出するヒレ部１１３が形成されている。また、脚部１１２の下端は壁面側に湾曲した尾部１１４を備えている。
【０００５】
このような従来の目地１１０を浴槽１０１と壁面１０２との隙間に挿入すると、図６に断面図として示すようにこの間隔ｇが１ｍｍから３ｍｍ程度の場合には、頭部１１１が壁面１０２と浴槽１０１との隙間を塞ぐと共にヒレ部１１３が浴槽１０１のフランジ１０１ａに弾性変形しつつ圧接することで、浴槽と壁面部との間のシール性能を確保する。また、尾部１１４は壁面１０２に当接して反発し、ヒレ部１１３を浴槽１０１に押しつけるため、ヒレ部１１３はより強く浴槽１０１に圧接し、さらにヒレ部１１３が上向きに傾斜していることから、目地１１０が上方向に抜ける動きを防止する。
【０００６】
【特許文献１】特開2005-211167号公報
【特許文献２】特開2003-190036号公報
【特許文献３】特開2006-230745号公報
【発明の開示】
【発明が解決しようとする課題】
【０００７】
しかしながら、前述した従来の目地は、浴槽と壁面との間隔ｇが１ｍｍから３ｍｍ程度の場合には以上のように要求される性能を満たすものの、図７に示すように、浴槽１０１と壁面１０２との間やカウンター１０３と壁面１０２との間が、部材の寸法バラツキや部材の反り等によって３ｍｍ以上に広がった場合には、尾部１１４の反発力をもってもヒレ部１１３が浴槽１０１に強く圧接することができず、目地１１０が上方へせり上がって抜けてしまうことがある。
【０００８】
本発明は、上記問題点に鑑みてなされたものであり、壁面と浴槽またはカウンターとの隙間が広い場合でも有効にシール性能を確保することができる目地部材を提供することを目的とする。
【課題を解決するための手段】
【０００９】
上記目的を達成するため、本発明の目地部材は、壁面と浴槽またはカウンターとの隙間を塞ぐ頭部と、頭部の下面から下方に延びる脚部と、脚部から浴室側に突出して形成されたヒレ部とを有し、脚部は、長手方向に垂直な断面においてＳ字形状に形成されたことを特徴とする。
【００１０】
脚部は、脚部本体と、脚部本体の下端から壁面側上方へ折り返して形成された折り返し片とからなることが好ましい。
【００１１】
折り返し片は脚部本体の下半分に沿った断面形状をなすことが好ましい。
【００１２】
目地部材は、頭部及びヒレ部は軟質樹脂素材、他の部分は硬質樹脂素材でなることが好ましい。
【発明の効果】
【００１３】
本発明の目地部材によれば、頭部が壁面と浴槽またはカウンターとの隙間を塞ぎ、ヒレ部が浴槽またはカウンターに当接してシール性能を発揮すると共に、脚部が断面視Ｓ字形状に形成されたことにより、脚部の二点が壁面に当接し、この二点に挟まれた曲面部及びヒレ部を浴槽またはカウンターに押し当てるから、隙間が広い場合でも有効にシール性能を発揮することができる。
【００１４】
脚部が下端から壁面側上方へ折り返して形成された折り返し片を備える場合には、この折り返し片が壁面に当接するから、隙間が広い場合でも有効にシール性能を発揮することができる。
【００１５】
折り返し片が脚部本体の下半分に沿った断面形状をなす場合には、折り返し片が脚部本体の下半分に沿うことで、脚部を小さな隙間にも挿入しやすい。
【発明を実施するための最良の形態】
【００１６】
以下、本発明の好ましい実施の形態を添付図面を参照しながら詳細に説明する。従来と同様の部分については同一の符号を付し、説明を省略する。図１から３は本発明の実施形態に係る目地部材を示す断面図である。
【００１７】
目地部材１は、押出成形によって全体として長尺に成形されるため、断面形状はいずれの場所においてもほぼ同一であり、壁面１０２と浴槽１０１との隙間１０４を塞ぐ頭部２と、頭部２の下面から下方に延びて隙間１０４に挿入される脚部３と、脚部３から浴室側に突出して形成されたヒレ部４とを有する。設置時は、壁面１０２と浴槽１０１との隙間に沿うように設置され、必要な長さに切断されて隙間に挿入されて用いられる。
【００１８】
目地部材１の材質はいずれも弾性樹脂であるが、脚部３については硬質樹脂を用い、頭部２とヒレ部４とについては軟質樹脂を用いることが望ましい。硬質樹脂としては、ポリプロピレン（ＰＰ）、ポリエチレン（ＰＥ）、硬質ポリ塩化ビニル樹脂等の熱可塑性樹脂を用いることができ、軟質樹脂としては、軟質ポリ塩化ビニル樹脂、ポリオレフィン系エラストマー（ＴＰＯ）等の熱可塑性樹脂もしくは熱可塑性エラストマーを用いることができる。それぞれの樹脂はいわゆる二色成形によって同時成形される。
【００１９】
頭部２は、壁面に当接し密着する壁面当接片２１と、浴槽に当接し密着する浴槽当接片２２とを備え、これらの中間に位置する中間部２３は、上面が凹形状に形成され、下面には脚部３が接合されている。浴槽当接片２２は先端にいくに従って薄く形成されており、下面は平面状である。中間部２３の上面が凹形状に形成されていることにより、浴槽１０１の上面と壁面１０２との境目部分が緩やかな隅Ｒとなり清掃性がよい。
【００２０】
脚部３は、上半分が壁面側に膨らみ下半分が浴槽１０１側に膨らんで断面視Ｓ字形状に形成された脚部本体３１と、脚部本体３１の下端から壁面側上方へ折り返して形成された折り返し片３２とからなる。
【００２１】
より詳細には、脚部本体３１は、頭部２の下面から延び壁面方向に膨らむように湾曲し、壁面１０２に面接触の状態で当接する第一曲部３１ａと、この第一曲部３１ａの下方に延び、浴室方向に膨らむように湾曲し、図２，３に示すように浴槽１０１のフランジ１０１ａの下端角部に線接触の状態で当接する第二曲部３１ｂとを有する。第一曲部３１ａの壁面側には凸部３１ｃが設けられており、目地部材１と壁面１０２との間の摩擦を増し、抜け止め効果を高めている。
【００２２】
折り返し片３２は脚部本体３１の下端に折り返し部３３を介して壁面側上方へ折り返して形成され、脚部本体３１の下半分に沿った断面形状をなし、すなわち、第二曲部３１ｂに沿って浴室方向に膨らむように湾曲した第三曲部３２ａを有している。ここで、折り返し部３３は先端が突起状に加工され、隙間１０４に挿入しやすくなっている。また、折り返し片３２の先端３２ｂは壁面１０２に線接触の状態で当接する。
【００２３】
ヒレ部は、脚部本体３１の第一曲部３１ａにおける浴室内側に突出して設けられ、上向きの傾斜を有しており、先端にいくに従って薄くなるように形成されている。
【００２４】
以上のように構成された目地部材１を壁面１０２と浴槽１０１との隙間１０４に挿入する際は、折り返し片３２を脚部本体３１の下半分に重ね合わせるように弾性変形させ、脚部３を隙間１０４に挿入する。この際、折り返し片３２と脚部本体３１の下半分との湾曲方向が同一であることから、脚部３の実質的な厚みを薄くすることができ、隙間１０４の間隔ｇが狭い場合であっても、容易に脚部３を挿入することができる。また、折り返し部３３の先端が突起状に加工されていることから、隙間１０４に挿入しやすい。
【００２５】
脚部３を隙間１０４に十分に深く挿入すると、頭部２の浴槽当接片２２の下面が浴槽１０１のフランジ１０１ａの上面に液密的に当接する。また、頭部２の壁面当接片２１の先端は壁面１０２に液密的に当接し、頭部２が隙間１０４を覆うと共に隙間１０４内に水が入り込まないようにシールすることができる。
【００２６】
また、ヒレ部４は軟質樹脂素材でなるから、図２に示すように隙間１０４の間隔ｇが広い場合には先端付近が弾性変形し、図３に示すように隙間１０４の間隔ｇが狭い場合には中央付近が弾性変形することで、浴槽１０１のフランジ１０１ａの側面に面接触し、シール効果をさらに高める。さらに、ヒレ部４は上方へ傾斜して設けられているから、目地部材１が隙間１０４から抜けることを防ぐ効果をも発揮する。
【００２７】
脚部本体３１は、断面形状がＳ字形状であるため、第一曲部３１ａが壁面１０２に面接触し、第二曲部３１ｂ付近が浴槽１０１のフランジ１０１ａの下縁の角部１０１ｂに線接触し、これらの部分においてもシール効果をさらに高める。特に図３に示すように隙間１０４の間隔ｇが狭い場合には、脚部本体３１が直線に近づくように弾性変形するから、この復元力により第一曲部３１ａ及び第二曲部３１ｂが強く押しつけられ、効果を高める。さらに、第二曲部３１ｂはその一部が浴槽１０１のフランジ１０１ａの下側に入り込むから、目地部材１が隙間１０４から抜けることを防ぐ効果をも発揮する。
【００２８】
また、折り返し片３２の先端３２ｂは壁面１０２に線接触し、この部分においてもシール効果をさらに高める。ここで、脚部３は硬質樹脂素材でなることから、強い弾性復元力が働き、折り返し片３２と脚部本体３１との間には、図２及び３において矢印Ｆで示すように反発力が働く。そのため、図２に示すように隙間１０４の間隔ｇが広い場合であっても、ヒレ部４，第二曲部３１ｂ及び折り返し片３２の先端３２ｂがフランジ１０１ａまたは壁面１０２に強く圧接され、シール効果及び抜け止め効果を高く保つことができる。
【００２９】
このように、目地部材１によれば、頭部が壁面と浴槽またはカウンターとの隙間を塞ぎ、ヒレ部が浴槽またはカウンターに当接してシール性能を発揮すると共に、脚部が断面視Ｓ字形状に形成されたことにより、脚部の二点、すなわち第一曲部３１ａと折り返し片３２の先端とが壁面に当接し、この二点に挟まれたアーチ状の曲面部である第二曲部３１ｂ及びヒレ部４を浴槽１０１に押し当てるから、隙間１０４が広い場合でも有効にシール性能を発揮することができる。
【００３０】
以上説明したように、本発明の目地部材は、壁面と浴槽またはカウンターとの隙間を塞ぐ頭部と、頭部の下面から下方に延びる脚部と、脚部から浴室側に突出して形成されたヒレ部とを有し、脚部は、長手方向に垂直な断面視においてＳ字形状に形成されたものであり、その主旨を逸脱しない範囲内において様々な形態で実施することができる。たとえば、目地部材の材質及び寸法は一例であり、他の適宜な素材を用いて適宜な寸法に設定することができる。また、本実施形態では壁面と浴槽との隙間に目地部材を挿入する場合について説明したが、壁面とカウンターとの隙間などにも使用できることは明らかである。
【図面の簡単な説明】
【００３１】
【図１】本発明の実施形態に係る目地部材を示す、長手方向に垂直な面による断面図である。
【図２】図１の目地部材を浴槽と壁面との隙間に挿入した状態を示す断面図である。
【図３】浴槽と壁面との隙間が図２よりも広い場合に図１の目地部材を浴槽と壁面との隙間に挿入した状態を示す断面図である。
【図４】浴室を模式的に示す平面図である。
【図５】従来の目地部材を示す、長手方向に垂直な面による断面図である。
【図６】図５の目地部材を浴槽と壁面との隙間に挿入した状態を示す断面図である。
【図７】浴槽と壁面との隙間が図６よりも広い場合に図５の目地部材を浴槽と壁面との隙間に挿入した状態を示す断面図である。
【符号の説明】
【００３２】
１      目地部材
２      頭部
３      脚部
４      ヒレ部
２１    壁面当接片
２２    浴槽当接片
３１    脚部本体
３１ａ  第一曲部
３１ｂ  第二曲部
３１ｃ  凸部
３２    折り返し片
３２ａ  第三曲面
３２ｂ  先端
３３    折り返し部部
１０１  浴槽
１０２  壁面
１０３  カウンター
１０４  隙間
【図１】
2010031595.tif 000003
【図２】
2010031595.tif 000004
【図３】
2010031595.tif 000005
【図４】
2010031595.tif 000006
【図５】
2010031595.tif 000007
【図６】
2010031595.tif 000008
【図７】
2010031595.tif 000009